(57)【要約】【課題】対象物に付着した液体をより確実に除去可能なクリーナを提供する。【解決手段】窓ガラスに付着した液体を除去するクリーナ１０は、窓ガラスに付着した液体を拭き取る第一ワイパ部材５２及び第二ワイパ部材５３と、第一ワイパ部材５２及び第二ワイパ部材５３によって拭き取られた液体を吸引する吸引口５５と、窓ガラスに向かって空気を吹き出す吹出口５６とを備える。【選択図】図２
2019217044.tif 000002
【特許請求の範囲】
【請求項１】
対象物に付着した液体を拭き取るワイパ部材と、
前記ワイパ部材が拭き取った液体を吸引する吸引口と、
前記対象物に向かって空気を吹き出す吹出口と、
を備えることを特徴とするクリーナ。
【請求項２】
前記吸引口と前記吹出口とは連通している、
請求項１に記載のクリーナ。
【請求項３】
前記吸引口の下流側、かつ、前記吹出口の上流側に配置されたファンと、
前記ファンを回転させるモータと、
を備える請求項２に記載のクリーナ。
【請求項４】
前記吸引口の下流側に配置され、前記吸引口から吸引した液体を貯留するタンクと、
前記ファンの下流側に配置され、前記吸引口から吸引した液体を前記タンクへ案内する案内板と、
を備え、
前記案内板は、前記ファンを収容する空間と前記モータを収容する空間とを区画する、
請求項３に記載のクリーナ。
【請求項５】
前記ファンの径方向の外側に配置され、前記吸引口から吸引した液体が前記タンクと反対側に飛散することを規制する飛散防止板、
を備える請求項４に記載のクリーナ。
【請求項６】
前記吹出口は、スリット状に形成されている、
請求項１から５のいずれか一項に記載のクリーナ。
【請求項７】
前記吹出口のスリットは、長手方向において中間部が狭く、端部が広く形成されている、
請求項６に記載のクリーナ。
【請求項８】
前記ワイパ部材は、長手方向において分割されている、
請求項１から７のいずれか一項に記載のクリーナ。
【請求項９】
前記モータに電力を供給するバッテリを装着可能な前記バッテリ装着部、
を備える請求項３に記載のクリーナ。
【請求項１０】
前記バッテリ装着部は、前記バッテリをスライドすることで着脱可能である、
請求項９に記載のクリーナ。
【請求項１１】
前記吸引口は、前記ワイパ部材の下方に配置され、
前記吹出口は、前記ワイパ部材の上方に配置されている、
請求項１から１０のいずれか一項に記載のクリーナ。
【発明の詳細な説明】
【技術分野】
【０００１】
本発明は、クリーナに関する。
【背景技術】
【０００２】
例えば、窓ガラスを洗浄液などの液体を使用して清掃すると、窓ガラスに付着した液体を拭き取る必要が生じる。そこで、窓ガラスから液体を拭き去って吸い取る器具に関する技術が知られている（例えば、特許文献１参照）。この技術では、電気モータにより回転させられる吸引タービンによって気液混合体を引き込む。
【先行技術文献】
【特許文献】
【０００３】
【特許文献１】特表２０１６−５２７９５１号公報
【発明の概要】
【発明が解決しようとする課題】
【０００４】
特許文献１に記載の技術のような器具を使用して窓ガラスから液体を拭き取ったとしても、窓ガラスに液体の一部が残留するおそれがある。窓ガラスに付着した液体をより確実に除去することが望まれる。
【０００５】
本発明の態様は、対象物に付着した液体をより確実に除去可能なクリーナを提供することを目的とする。
【課題を解決するための手段】
【０００６】
本発明の態様に従えば、対象物に付着した液体を拭き取るワイパ部材と、前記ワイパ部材が拭き取った液体を吸引する吸引口と、前記対象物に向かって空気を吹き出す吹出口と、を備えるクリーナが提供される。
【発明の効果】
【０００７】
本発明の態様によれば、対象物に付着した液体をより確実に除去することができるクリーナが提供される。
【図面の簡単な説明】
【０００８】
【図１】図１は、第一実施形態に係るクリーナを示す斜視図である。
【図２】図２は、第一実施形態に係るクリーナを示す断面図である。
【図３】図３は、第一実施形態に係るクリーナのノズルユニットを示す斜視図である。
【図４】図４は、第一実施形態に係るクリーナのノズルユニットの先端部を示す側面図である。
【図５】図５は、第一実施形態に係るクリーナのバッテリ装着部を示す斜視図である。
【図６】図６は、第一実施形態に係るクリーナを示すブロック図である。
【図７】図７は、第一実施形態に係るクリーナの使用方法の一例を示す概略図である。
【図８】図８は、第一実施形態に係るクリーナの使用時のノズルユニットの先端部を示す側面図である。
【図９】図９は、第二実施形態に係るクリーナのノズルユニットを示す斜視図である。
【図１０】図１０は、第二実施形態に係るクリーナのノズルユニットの先端部を示す平面図である。
【図１１】図１１は、第三実施形態に係るクリーナのノズルユニットの先端部を示す平面図である。
【図１２】図１２は、第四実施形態に係るクリーナのノズルユニットを示す斜視図である。
【図１３】図１３は、第五実施形態に係るクリーナを示す斜視図である。
【図１４】図１４は、第五実施形態に係るクリーナの使用状態を示す斜視図である。
【図１５】図１５は、第六実施形態に係るクリーナを示す断面図である。
【図１６】図１６は、クリーナの変形例を示す側面図である。
【図１７】図１７は、クリーナの変形例を示す斜視図である。
【図１８】図１８は、クリーナのノズルユニットの先端部の変形例を示す側面図である。
【発明を実施するための形態】
【０００９】
以下、本発明の実施形態について、添付図面を参照して詳細に説明する。なお、この実施形態によりこの発明が限定されるものではない。また、下記実施形態における構成要素には、当業者が置換可能かつ容易なもの、または実質的に同一のものを含む。さらに、以下に記載した構成要素は適宜組み合わせることが可能であり、また、実施形態が複数ある場合には、各実施形態を組み合わせることも可能である。
【００１０】
以下の説明においては、ＸＹＺ直交座標系を設定し、ＸＹＺ直交座標系を参照しつつ各部の位置関係について説明する。所定面内のＸ軸と平行な方向をＸ軸方向とする。Ｘ軸と直交する所定面内のＹ軸と平行な方向をＹ軸方向とする。所定面と直交するＺ軸と平行な方向をＺ軸方向とする。
【００１１】
また、以下の説明においては、「左」、「右」、「前」、「後」、「上」、及び「下」の用語を用いて各部の位置関係について説明する。これらの用語はクリーナ１０を基準とした相対位置又は方向を示す。本実施形態において、Ｘ軸方向は左右方向である。Ｙ軸方向は前後方向である。Ｚ軸方向は上下方向である。＋Ｘ方向は右方向である。−Ｘ方向は左方向である。＋Ｙ方向は前方向である。−Ｙ方向は後方向である。＋Ｚ方向は上方向である。−Ｚ方向は下方向である。
【００１２】
［第一実施形態］
図１は、第一実施形態に係るクリーナを示す斜視図である。図２は、第一実施形態に係るクリーナを示す断面図である。クリーナ１０は、例えば、洗浄液などの液体を使用して窓ガラスを洗浄した後、対象物の一例である窓ガラスに付着した液体を吸引して除去する。クリーナ１０は、ＤＣ電源から供給される電力によって動作する。本実施形態では、クリーナ１０は、電動工具に使用する電動工具用バッテリ１００から供給される電力によって動作する。
【００１３】
クリーナ１０は、ケース２０と、モータユニット３０と、タンクユニット４０と、ノズルユニット５０と、バッテリ装着部８０と、制御回路９０とを備える。クリーナ１０は、さらに電動工具用バッテリ１００を含んでもよい。
【００１４】
ケース２０は、クリーナ１０の外形を規定する。ケース２０は、筒状に形成されている。ケース２０は、内部の空間に、モータユニット３０と制御回路９０とを収容している。ケース２０は、外周の前部にタンクユニット４０を着脱可能な収容部２１が形成されている。ケース２０は、上部にノズルユニット５０が連結されている。ケース２０は、外周の下部にバッテリ装着部８０が配置されている。ケース２０には、ハンドル２２と、スイッチ２３とが配置されている。
【００１５】
ハンドル２２は、ユーザが把持する把持部である。ハンドル２２は、ケース２０の後部に配置されている。ハンドル２２は、ハンドルハウジング２２１によって外形が規定される。ハンドルハウジング２２１は、ケース２０と一体に形成されている。
【００１６】
スイッチ２３は、クリーナ１０を駆動又は停止させるためにユーザが操作するスイッチである。スイッチ２３は、操作されるたびにクリーナ１０の駆動と停止とを切り替える。スイッチ２３は、ハンドル２２の前部に配置されている。スイッチ２３は、ユーザがハンドル２２を把持した状態で操作可能である。スイッチ２３は、トリガ操作部材２３１と、弾性部材２３２と、トリガ信号出力部２３３とを含む。
【００１７】
トリガ操作部材２３１は、ハンドル２２の前部に配置されている。トリガ操作部材２３１は、ハンドルハウジング２２１に形成された開口２２２に進退可能に配置されている。より詳しくは、トリガ操作部材２３１の少なくとも一部は、開口２２２に配置されている。トリガ操作部材２３１の少なくとも一部は、ハンドルハウジング２２１の前面よりも前方に突出する。トリガ操作部材２３１は、ブロック状の部材である。トリガ操作部材２３１は、前方を向く前端面２３１ａを有する。Ｙ軸方向において、トリガ操作部材２３１は、ハンドル２２の中央部に配置されている。Ｙ軸方向において、トリガ操作部材２３１の中心とハンドル２２の中心とは一致する。
【００１８】
トリガ操作部材２３１は、開口２２２内に引き込むことによって、モータ１１の起動と停止とが切り替えられる。トリガ操作部材２３１は、ユーザが手を離すと、弾性部材２３２の弾性力により、元の位置に復帰する。
【００１９】
弾性部材２３２は、ハンドルハウジング２２１の内部に配置されている。弾性部材２３２は、軸方向の一方の端部がハンドルハウジング２２１の内部に固定され、他方の端部がトリガ操作部材２３１に固定されている。弾性部材２３２は、開口２２２内に引き込まれたトリガ操作部材２３１を元の位置に復帰させる付勢力を付与する。より詳しくは、弾性部材２３２は、トリガ操作部材２３１が開口２２２内に引き込まれると収縮して、トリガ操作部材２３１を前方に付勢する。
【００２０】
トリガ信号出力部２３３は、トリガ操作部材２３１の操作によりトリガ信号を出力可能な電子回路を含む。トリガ信号出力部２３３は、ハンドルハウジング２２１の内部に配置されている。トリガ信号とは、モータ１１を起動させる指令信号である。トリガ信号出力部２３３は、トリガ操作部材２３１の引込量が閾値以上のとき、接点がＯＮになる。トリガ信号出力部２３３は、トリガ操作部材２３１の引込量が閾値未満のとき、接点がＯＦＦになる。より詳しくは、トリガ信号出力部２３３は、トリガ操作部材２３１の引込量が閾値以上では、モータ１１を駆動する指令信号を出力し、トリガ操作部材２３１の引込量が閾値未満では、モータ１１を駆動する指令信号の出力を停止する。
【００２１】
トリガ操作部材２３１がハンドルハウジング２２１の内部に引き込まれると、トリガ操作部材２３１とトリガ信号出力部２３３とが接触し、トリガ信号出力部２３３からトリガ信号が制御回路９０に出力される。ユーザによるトリガ操作部材２３１の操作が解除されると、弾性部材２３２の弾性力により、トリガ操作部材２３１は、トリガ信号出力部２３３から離れる。トリガ操作部材２３１がトリガ信号出力部２３３から離れることにより、トリガ信号出力部２３３からのトリガ信号の出力が停止される。
【００２２】
モータユニット３０は、クリーナ１０の駆動源である。より詳しくは、モータユニット３０は、窓ガラスに付着した液体を吸引する空気の流れを発生させる。モータユニット３０は、モータ３１と、出力軸３２と、ファン３３とを含む。
【００２３】
モータ３１は、窓ガラスに付着した液体を吸引可能な吸引力を生じさせるためのファン３３を回転させる。モータ３１は、電動工具用バッテリ１００から供給される電力によって回転する。モータ３１は、出力軸３２を介してファン３３と連結されている。モータ３１は、ケース２０の内部において、ファン３３より下流側に配置されている。モータ３１は、制御回路９０を介して回転が制御される。
【００２４】
出力軸３２は、モータ３１の回転力をファン３３に伝達する。出力軸３２は、モータ３１の回転軸と同一軸線上に連結されている。
【００２５】
ファン３３は、モータ３１の回転に連動して回転し、窓ガラスに付着した液体を吸引可能な吸引力を生じさせる。ファン３３は、液体を吸引可能な空気の流れを生じさせる。ファン３３は、吸引口５５の下流側、かつ、吹出口５６の上流側に配置されている。ファン３３は、ケース２０の内部において、モータ３１より上流側に配置されている。本実施形態では、ファン３３は、遠心ファンである。ファン３３は、径方向の外側に空気を吹き出す。ファン３３は、出力軸３２を介して、モータ３１の回転軸と連結されている。ファン３３は、モータ３１が回転すると回転する。ファン３３が回転すると、空気とともに窓ガラスに付着した液体が吸引口５５からケース２０の内部に吸引される。
【００２６】
タンクユニット４０は、吸引した液体を貯留する。タンクユニット４０は、モータユニット３０のファン３３の下流側に配置されている。タンクユニット４０は、ケース２０の収容部２１に着脱可能である。タンクユニット４０は、箱状のタンク４１を有する。
【００２７】
タンク４１は、液体を貯留する。タンク４１は、上部に開口４１１を有する。開口４１１は、ケース２０の内部の空間と連通している。タンクユニット４０は、吸引口５５の下流側に配置されている。タンク４１は、収容部２１から取り外すことによって、貯留した液体を吐出可能になる。タンク４１は、貯留した液体が不用意に流出しないように、逆流防止機構を有していることが好ましい。
【００２８】
図３、図４を用いて、ノズルユニット５０について説明する。図３は、第一実施形態に係るクリーナのノズルユニットを示す斜視図である。図４は、第一実施形態に係るクリーナのノズルユニットの先端部を示す側面図である。ノズルユニット５０は、窓ガラスに付着した液体を空気とともに吸引し、窓ガラスに空気を吹き出す。ノズルユニット５０は、ケース２０の上部に連結されている。ノズルユニット５０は、ヘッドハウジング５１と、第一ワイパ部材（ワイパ部材）５２と、第二ワイパ部材（ワイパ部材）５３と、吹出案内部材５４と、吸引口５５と、吹出口５６とを有する。
【００２９】
ヘッドハウジング５１は、ノズルユニット５０の外形を規定する。ヘッドハウジング５１は、左右方向に延びる箱状に形成されている。ヘッドハウジング５１は、内部に、吸引口５５と連通する流路５１１と、吹出口５６と連通する流路５１２とが形成されている。流路５１１と流路５１２とは、仕切壁５１３によって仕切られている。
【００３０】
流路５１１は、ヘッドハウジング５１の内周面の一部と仕切壁５１３とによって規定される。流路５１２は、ヘッドハウジング５１の内周面の一部と仕切壁５１３とによって規定される。流路５１２は、ヘッドハウジング５１の内部において、流路５１１より上側に配置されている。仕切壁５１３は、空気の流れ方向に沿って配置されている。
【００３１】
第一ワイパ部材５２は、第二ワイパ部材５３によって集められた液体を吸引するためのガイドである。第一ワイパ部材５２は、集められた液体を吸引口５５に案内する。第一ワイパ部材５２は、吸引口５５の周縁部に、第二ワイパ部材５３と向かい合って配置されている。第一ワイパ部材５２は、ヘッドハウジング５１の先端部の下部に配置されている。第一ワイパ部材５２は、横長の板状に形成されている。第一ワイパ部材５２は、長手方向がＸ軸方向に沿っている。第一ワイパ部材５２は、Ｘ軸方向視において、鋭角三角形の断面形状を有する。第一ワイパ部材５２は、弾性変形可能なゴムなどの弾性体で構成される。第一ワイパ部材５２は、窓ガラスに押し付けられると変形して、窓ガラスに密着する。
【００３２】
第二ワイパ部材５３は、第一ワイパ部材５２とともに、窓ガラスに付着した液体を拭き取るワイパである。第二ワイパ部材５３は、窓ガラスに付着した液体を集めて、集めた液体を吸引口５５に案内する。第二ワイパ部材５３は、吸引口５５の反対側の周縁部に、第一ワイパ部材５２と向かい合って配置されている。第二ワイパ部材５３は、ヘッドハウジング５１の先端部の中間部に配置されている。第二ワイパ部材５３は、第一ワイパ部材５２と間隔を空けて配置されている。第二ワイパ部材５３は、横長の板状に形成されている。第二ワイパ部材５３は、弾性変形可能なゴムなどの弾性体で構成される。第二ワイパ部材５３は、窓ガラスに押し付けられると変形して、窓ガラスに密着する。第二ワイパ部材５３と第一ワイパ部材５２との間に形成される空間は、吸引口５５に連通する。
【００３３】
吹出案内部材５４は、窓ガラスに吹き出す空気を案内する案内板である。吹出案内部材５４は、吹出口５６の周縁部に、第二ワイパ部材５３と間隔を空けて向かい合って配置されている。吹出案内部材５４は、ヘッドハウジング５１の先端部の上部に配置されている。吹出案内部材５４は、横長の板状に形成されている。吹出案内部材５４と第二ワイパ部材５３との間に形成される空間は、吹出口５６に連通する。
【００３４】
吹出案内部材５４のヘッドハウジング５１の先端部からの長さｄ１は、第二ワイパ部材５３のヘッドハウジング５１の先端部からの長さｄ２より短いことが好ましい。これにより、第二ワイパ部材５３が窓ガラスに押し付けられて変形した際に、吹出案内部材５４と第二ワイパ部材５３との間の空間が塞がれるおそれが低減される。
【００３５】
吸引口５５は、第一ワイパ部材５２と第二ワイパ部材５３とによって拭き取られた液体を空気とともに吸引する吸引口である。吸引口５５は、ファン３３の吸込口である。吸引口５５は、ヘッドハウジング５１の先端部に形成された開口である。吸引口５５は、流路５１１と連通する。
【００３６】
吹出口５６は、窓ガラスに空気を吹き出す吹出口である。吹出口５６は、ファン３３の排気口である。吹出口５６は、ヘッドハウジング５１の先端部に形成された開口である。吹出口５６は、流路５１２と連通する。吹出口５６は、ヘッドハウジング５１の内部において吸引口５５と連通している。
【００３７】
このように構成されたノズルユニット５０は、第一ワイパ部材５２及び第二ワイパ部材５３が、窓ガラスに接触する先端部から吸引口５５に向かって下がる姿勢で使用されることが好ましい。
【００３８】
図２に戻って、ケース２０の内部に形成される流路及び空間について説明する。ケース２０の内部には、仕切壁６１と、仕切壁６２と、仕切壁６３と、案内板６４と、飛散防止板６５とが配置され、これらによって流路及び空間が形成されている。
【００３９】
仕切壁６１は、ケース２０の内部において、吸引した空気と液体との流路７１を規定する。仕切壁６１は、ケース２０の内部の上部に配置されている。仕切壁６１は、筒状に形成されている。仕切壁６１の軸線は、後側に向かうにつれて下がる傾斜を有する。仕切壁６１は、上端部から下端部に向かうにつれて拡径されている。仕切壁６１は、上端部がノズルユニット５０の流路５１１を規定する壁部と連続している。仕切壁６１は、下端部がファン３３に対面している。仕切壁６１は、ファン３３の径方向の外側の少なくとも一部を開放した状態で配置されている。仕切壁６１の内部の空間は、吸引口５５と流路５１１と連通した流路７１になる。仕切壁６１の外周面とケース２０の内周面とによって、空間７２が規定される。
【００４０】
仕切壁６２は、ケース２０の内部において、窓ガラスに吹き出す空気の流路７３を規定する。仕切壁６２は、ケース２０の内周面の上部と向かい合って配置されている。仕切壁６２は、板状に形成されている。仕切壁６２は、ケース２０の内周面と数ｍｍ程度離間して配置されている。仕切壁６２は、上端部がノズルユニット５０の流路５１２を規定する壁部と連続している。仕切壁６２は、下端部６２１がケース２０の内部の上下方向の中間部に位置している。仕切壁６２とケース２０の内周面とで規定される空間は、吹出口５６と流路５１２と連通した流路７３になる。仕切壁６２と仕切壁６３と案内板６４と飛散防止板６５とで規定される空間は、空間７２と流路７３とを連通する流路７４になる。
【００４１】
仕切壁６３は、モータ３１が配置された空間と流路７３及び流路７４を仕切る。仕切壁６３は、ケース２０の中間後部に配置されている。仕切壁６３は、仕切壁６２の下端部６２１と向かい合っている。仕切壁６３は、仕切壁６２の下端部６２１から離間して配置されている。仕切壁６３は、板状に形成されている。仕切壁６３は、後側に向かうにつれて下がる傾斜を有している。仕切壁６３は、上端部が案内板６４に接続している。仕切壁６３は、下端部がケース２０の内周面に接続している。
【００４２】
案内板６４は、吸引した液体をタンク４１に案内する。案内板６４は、モータ３１が配置された空間とファン３３が配置された空間とを仕切る。案内板６４は、仕切壁６１の下端部と向かい合って配置されている。案内板６４は、仕切壁６１の下端部と離間して配置されている。案内板６４は、ファン３３の下流側に配置されている。案内板６４は、流路７１の出口より下流側に配置されている。案内板６４は、板状に形成されている。案内板６４は、前側に向かうにつれて下がる傾斜を有している。案内板６４は、流路７１の流れ方向とは異なる方向に傾斜している。本実施形態では、案内板６４の法線は、流路７１の流れ方向と平行である。案内板６４には、流路７１を通過した空気と液体とが接触する。案内板６４は、下端部がタンク４１の開口４１１に面している。案内板６４は、出力軸３２が貫通している。案内板６４に形成された出力軸３２が貫通する貫通孔は、シールされている。案内板６４は、上端部に飛散防止板６５が配置されている。
【００４３】
飛散防止板６５は、吸引した液体が飛散することを規制する。飛散防止板６５は、案内板６４の上端部から、前上方に立設している。飛散防止板６５は、案内板６４と異なる方向に延びている。飛散防止板６５は、仕切壁６１の下端部と離間している。飛散防止板６５は、ファン３３の径方向の外側に配置されている。飛散防止板６５は、板状に形成されている。飛散防止板６５は、ファン３３によって径方向の外側に吹き出された空気と液体とのうち、上方に吹き出されたものが接触する。飛散防止板６５に接触すると、気体は飛散防止板６５を回り込んで流路７４を介して流路７３へと流れる。また、液体は飛散防止板６５で跳ね返って下方に落下してタンク４１に流入する。
【００４４】
流路７１と空間７２と流路７３と流路７４とは連通する。流路７１は、仕切壁６１の内部の空間である。流路７１は、吸引口５５とヘッドハウジング５１の流路５１１と連通する。流路７１は、吸引口５５から吸引してヘッドハウジング５１の流路５１１を通過した空気と液体とが流れる。流路７１は、上流にファン３３が配置されている。
【００４５】
空間７２は、仕切壁６１の外部で、ケース２０の内部の空間である。空間７２は、流路７１からファン３３によって径方向の外側に吹き出された空気と液体とが通過する。空間７２において、空気は、吹出口５６に向かう空気の流れによって、流路７３に向かって流れる。空間７２において、液体は下方に向かってタンク４１に流入する。
【００４６】
流路７３は、仕切壁６２とケース２０の内周面とで規定される空間である。流路７３は、ヘッドハウジング５１の流路５１２を通って吹出口５６から吹き出す空気が流れる。流路７３は、流路７４から空気が流入する。流路７３は、ファン３３の下流に配置されている。
【００４７】
流路７４は、空間７２と流路７３とを連通する。流路７４は、ラビリンス構造である。流路７４は、空間７２を通って流路７３に向かう空気が流れる。流路７４は、空間７２の下流、かつ、流路７３の上流に配置されている。
【００４８】
図５を用いて、バッテリ装着部８０について説明する。図５は、第一実施形態に係るクリーナのバッテリ装着部を示す斜視図である。バッテリ装着部８０は、ケース２０の外周の後下部に配置されている。バッテリ装着部８０は、電動工具用バッテリ１００を着脱可能である。バッテリ装着部８０は、電動工具用バッテリ１００を制御回路９０に接続するアダプタとしての機能を有する。バッテリ装着部８０に電動工具用バッテリ１００が装着されると、電動工具用バッテリ１００と制御回路９０とが電気的に接続される。バッテリ装着部８０は、電動工具用バッテリ１００が装着される装着面８１を有する。
【００４９】
装着面８１は、下方を向くバッテリ装着部８０の下面を含む。バッテリ装着部８０は、装着端子を有する。装着端子は、バッテリ装着部８０の装着面８１に配置されている。
【００５０】
図６を用いて、制御回路９０について説明する。図６は、第一実施形態に係るクリーナを示すブロック図である。制御回路９０は、クリーナ１０を制御する。制御回路９０は、制御回路基板を含み、ケース２０の内部に配置されている。制御回路９０は、ＣＰＵ（Ｃｅｎｔｒａｌ  Ｐｒｏｃｅｓｓｉｎｇ  Ｕｎｉｔ）のようなプロセッサと、ＲＯＭ（Ｒｅａｄ  Ｏｎｌｙ  Ｍｅｍｏｒｙ）のような不揮発性メモリ及びＲＡＭ（Ｒａｎｄｏｍ  Ａｃｃｅｓｓ  Ｍｅｍｏｒｙ）のような揮発性メモリを含むメインメモリと、入出力回路を含むインターフェースとを含む。
【００５１】
制御回路９０には、スイッチ２３と、モータ３１とが接続される。制御回路９０は、トリガ信号出力部２３３からモータ３１を駆動する指令信号が出力されている間、モータ３１を駆動する。制御回路９０は、トリガ信号出力部２３３からモータ３１を駆動する指令信号の出力が停止されると、モータ３１を停止する。制御回路９０は、電動工具用バッテリ１００の電圧をモータ３１に合わせた電圧に変換する電源回路を含む。
【００５２】
電動工具用バッテリ１００は、携帯用の電動工具の電源である。電動工具用バッテリ１００は、電気的に接続された複数のリチウムイオン電池セルが内蔵されている。電動工具用バッテリ１００は、図示しない充電器で充電して繰り返し使用することが可能である。電動工具用バッテリ１００は、スライドすることでバッテリ装着部８０に着脱可能である。
【００５３】
電動工具用バッテリ１００は、バッテリ端子を有する。バッテリ端子は、電動工具用バッテリ１００の上面に配置されている。電動工具用バッテリ１００は、電動工具用バッテリ１００の後部において上方に隆起する隆起部１０１を有する。
【００５４】
電動工具用バッテリ１００は、バッテリ装着部８０に着脱可能である。電動工具用バッテリ１００をバッテリ装着部８０に装着するとき、電動工具用バッテリ１００の上面と装着面８１とが対向するように、電動工具用バッテリ１００をバッテリ装着部８０の後方から前方へスライドさせる。電動工具用バッテリ１００をスライドさせることによって、隆起部１０１の前部がバッテリ装着部８０の前部に当接する。また、電動工具用バッテリ１００の上面には電動工具用バッテリ１００の上面から突出するバッテリ爪１０２が設けられる。バッテリ爪１０２は、弾性部材により上方に付勢される。バッテリ爪１０２は、バッテリ装着部８０の後部に設けられたバッテリ装着凹部８２に挿入される。これにより、電動工具用バッテリ１００とバッテリ装着部８０とが位置決めされ、電動工具用バッテリ１００がバッテリ装着部８０に装着される。
【００５５】
電動工具用バッテリ１００がバッテリ装着部８０に装着された状態において、電動工具用バッテリ１００の上面と装着面８１とが対向する。また、電動工具用バッテリ１００がバッテリ装着部８０に装着された状態において、バッテリ端子と装着端子とが接続される。これにより、電動工具用バッテリ１００とバッテリ装着部８０とが電気的に接続される。
【００５６】
バッテリ装着部８０から電動工具用バッテリ１００を外すとき、バッテリボタン１０３が操作される。バッテリボタン１０３は、バッテリ爪１０２を付勢する弾性部材と接続される。したがって、バッテリボタン１０３が操作されることにより、バッテリ爪１０２がバッテリ装着凹部８２から外れ、バッテリ装着部８０から電動工具用バッテリ１００が解放される。バッテリ装着部８０から電動工具用バッテリ１００を前方にスライドさせることによって、バッテリ装着部８０から電動工具用バッテリ１００が外される。
【００５７】
次に、図７、図８を用いて、このように構成されたクリーナ１０の使用方法と作用とについて説明する。図７は、第一実施形態に係るクリーナの使用方法の一例を示す概略図である。図８は、第一実施形態に係るクリーナの使用時のノズルユニットの先端部を示す側面図である。ユーザが窓ガラスを洗浄液などの液体を使用して洗浄した後であるものとして説明する。
【００５８】
ユーザは、クリーナ１０のバッテリ装着部８０に、充電した電動工具用バッテリ１００をスライドさせて取り付ける。
【００５９】
図７に示すように、ユーザは、クリーナ１０のハンドル２２を把持して、ノズルユニット５０の先端部を窓ガラスに向かい合わせる。より詳しくは、ユーザは、窓ガラスにおいて液体を除去したい範囲にクリーナ１０を位置付ける。ユーザは、ノズルユニット５０が窓ガラスに接触する先端部から吸引口５５に向かって下がる姿勢で、第一ワイパ部材５２と第二ワイパ部材５３とを窓ガラスに押し付ける。
【００６０】
ユーザは、トリガ操作部材２３１を引き込んでモータ３１を駆動してファン３３を回転させる。クリーナ１０は、吸引口５５から空気とともに窓ガラスに付着した液体を吸引する。また、クリーナ１０は、吹出口５６から窓ガラスに空気を吹き出す。
【００６１】
ユーザは、第一ワイパ部材５２を下方にした姿勢で、第一ワイパ部材５２と第二ワイパ部材５３とを窓ガラスに押し付けた状態で、クリーナ１０を下方に滑らせる。
【００６２】
図８に示すように、窓ガラスに付着した液体は、第一ワイパ部材５２と第二ワイパ部材５３とによって拭き取られる。より詳しくは、窓ガラスに付着した液体は、第二ワイパ部材５３によって集められ、第一ワイパ部材５２が吸引口５５に案内することによって拭き取られる。拭き取られた液体は、吸引口５５から空気とともに吸引される。吹出口５６が面している部分の窓ガラスには、吹出口５６から空気が吹き出される。これにより、窓ガラスの表面が乾燥される。また、吸引口５５から吸引されずに窓ガラスに付着した液体が残っていれば、液体は吹き出された空気によって除去される。
【００６３】
吸引口５５から吸引された空気及び液体について説明する。吸引口５５から吸引された空気と液体とは、流路５１１及び流路７１を通過する。空気と液体とは、流路７１の出口付近において、ファン３３よって径方向の外側に吹き出される。ファン３３によって吹き出された液体は、自重によって、または、案内板６４に案内されて、タンク４１に入る。ファン３３によって吹き出された液体のうち上方に吹き出された液体は、飛散防止板６５にぶつかって跳ね返される。跳ね返された液体は、自重によって、または、案内板６４に案内されて、タンク４１に入る。ファン３３によって吹き出された空気は、空間７２を流路７４に向かって流れる。流路７４に流入した空気は、流路７３に向かって流れる。また、液体が流路７４に流入しても、流路７４がラビリンス構造になっているので、流路７３に浸入することが規制される。流路７３に流入した空気は、流路５１２を通過して吹出口５６から吹き出されて排気される。
【００６４】
このようにして、ユーザは、クリーナ１０を窓ガラスに沿ってゆっくり滑らせながら、窓ガラスに付着した液体を空気とともに吸引して除去する。このようにクリーナ１０を動かすことによって、吸引口５５が面している部分において窓ガラスに付着した液体が吸引された後、吹出口５６から吹き出される空気によって窓ガラスの表面が乾燥される。
【００６５】
このようにクリーナ１０を進行方向に動かして、ユーザは、クリーナ１０をまだ液体を除去していない窓ガラスのスペースにずらす。そして、まだ液体を除去していない部分にクリーナ１０を位置付けて、同様にクリーナ１０を上方から下方に動かして液体を除去する。
【００６６】
以上説明したように、本実施形態によれば、窓ガラスに付着した液体を空気とともに吸引して除去することができる。また、本実施形態によれば、吸引口５５が面している部分において窓ガラスに付着した液体が吸引された後、吹出口５６から吹き出される空気によって窓ガラスの表面を乾燥することができる。このようにして、本実施形態は、窓ガラスに付着した液体をより確実に除去することができる。
【００６７】
本実施形態は、ファン３３の排気を吹出口５６から窓ガラスに向かって吹き出す。本実施形態によれば、ファン３３の排気を窓ガラスの乾燥に使用することができる。本実施形態によれば、ファン３３の排気口をケース２０に配置しなくてよいので、ユーザに向けて排気が吹き出されることを規制することができる。
【００６８】
本実施形態は、１台のファン３３によって、窓ガラスに付着した液体を吸引するための吸引力の発生と、窓ガラスを乾燥するための空気の供給とを行うことができる。本実施形態によれば、クリーナ１０による液体の除去の効率を向上することができる。
【００６９】
本実施形態は、案内板６４と飛散防止板６５とによって、吸引口５５から吸引した空気と液体とを分離することができる。本実施形態は、飛散防止板６５によって、液体が流路７４を通過して流路７３へ流入することを規制することができる。本実施形態は、流路７４がラビリンラビリンス構造になっているので、液体が流路７４に流入したとしても、流路７３に流入することを規制することができる。
【００７０】
本実施形態によれば、吸引口５５から吸引した液体を案内板６４によってタンク４１に案内することができる。
【００７１】
［第二実施形態］
図９、図１０を参照しながら、本実施形態に係るクリーナ１０について説明する。図９は、第二実施形態に係るクリーナのノズルユニットを示す斜視図である。図１０は、第二実施形態に係るクリーナのノズルユニットの先端部を示す平面図である。クリーナ１０は、基本的な構成は第一実施形態のクリーナ１０と同様である。以下の説明においては、クリーナ１０と同様の構成要素には、同一の符号または対応する符号を付し、その詳細な説明は省略する。本実施形態は、ノズルユニット５０Ａが、第一実施形態のノズルユニット５０と異なる。
【００７２】
ノズルユニット５０Ａは、ヘッドハウジング５１と、第一ワイパ部材５２と、第二ワイパ部材５３Ａと、吸引口５５と、スリット５３１Ａとを有する。
【００７３】
第二ワイパ部材５３Ａは、吸引口５５の反対側の周縁部に、第一ワイパ部材５２と向かい合って配置されている。第二ワイパ部材５３Ａは、窓ガラスに付着した液体を集めるワイパとしての機能と、窓ガラスに吹き出す空気を案内する案内板としての機能とを有する。言い換えると、第二ワイパ部材５３Ａは、第一実施形態の第二ワイパ部材５３と吹出案内部材５４との機能を有する。第二ワイパ部材５３Ａは、横長の板状に形成されている。第二ワイパ部材５３Ａには、複数のスリット５３１Ａが形成されている。第二ワイパ部材５３Ａは、窓ガラスに押し付けられて変形しても、スリット５３１Ａが閉塞しないよう形成されている。
【００７４】
スリット５３１Ａは、窓ガラスに吹き出す空気が流れる。スリット５３１Ａは、第二ワイパ部材５３Ａを流れ方向に貫通している。スリット５３１Ａは、ヘッドハウジング５１の吹出口５６と連通している。複数のスリット５３１Ａは、流れ方向と直交する方向に沿って並んでいる。複数のスリット５３１Ａは、同じ形状、大きさに形成されている。言い換えると、複数のスリット５３１Ａは、流れ方向の断面積が同じである。
【００７５】
このように構成されたクリーナ１０は、窓ガラスに付着した液体を、第一ワイパ部材５２と第二ワイパ部材５３Ａとによって拭き取って、拭き取った液体を空気ととともに吸引口５５から吸引する。また、クリーナ１０は、第二ワイパ部材５３Ａのスリット５３１Ａから窓ガラスに空気を吹き出す。
【００７６】
以上説明したように、本実施形態によれば、窓ガラスに押し付けられて第二ワイパ部材５３Ａが変形したとしても、複数のスリット５３１Ａによって、ヘッドハウジング５１の吹出口５６から吹き出す空気の流路を確保することができる。本実施形態によれば、窓ガラスに付着した液体を確実に除去することができる。
【００７７】
［第三実施形態］
図１１を参照しながら、本実施形態に係るクリーナ１０について説明する。図１１は、第三実施形態に係るクリーナのノズルユニットの先端部を示す平面図である。クリーナ１０は、基本的な構成は第二実施形態のクリーナ１０と同様である。本実施形態は、ノズルユニット５０Ｂが、第二実施形態のノズルユニット５０Ａと異なる。より詳しくは、第二ワイパ部材５３Ｂに形成された複数のスリット５３１Ｂが第二実施形態と異なる。
【００７８】
複数のスリット５３１Ｂは、流れ方向の断面積が、第二ワイパ部材５３Ｂの長手方向の中間部に配置されているほど小さく、長手方向の端部に配置されているほど大きく形成されている。スリット５３１Ｂの流れ方向の断面積は、吹き出す空気の流量及び風速が均等になるように設定されている。
【００７９】
以上説明したように、本実施形態によれば、長手方向の端部のスリット５３１Ｂを大きく形成することにより、スリット５３１Ｂから吹き出す空気の流量及び風速を均等にすることができる。本実施形態によれば、窓ガラスに付着した液体をムラ無く確実に除去することができる。
【００８０】
［第四実施形態］
図１２を参照しながら、本実施形態に係るクリーナ１０について説明する。図１２は、第四実施形態に係るクリーナのノズルユニットを示す斜視図である。クリーナ１０は、基本的な構成は第一実施形態のクリーナ１０と同様である。本実施形態は、ノズルユニット５０Ｃが、第一実施形態のノズルユニット５０と異なる。
【００８１】
第一ワイパ部材５２Ｃは、長手方向において複数に分割された分割片５２１Ｃを有している。本実施形態では、第一ワイパ部材５２Ｃは、３つの分割片５２１Ｃを有する。分割片５２１Ｃは、長手方向の端部において重なり合って配置されている。第一ワイパ部材５２Ｃは、湾曲した窓ガラスに押し付けられると分割片５２１Ｃがそれぞれ変形して、湾曲した窓ガラスに密着する。
【００８２】
第二ワイパ部材５３Ｃは、長手方向において複数に分割された分割片５３１Ｃを有している。本実施形態では、第二ワイパ部材５３Ｃは、３つの分割片５３１Ｃを有する。分割片５３１Ｃは、長手方向の端部において重なり合って配置されている。第二ワイパ部材５３Ｃは、湾曲した窓ガラスに押し付けられると分割片５３１Ｃがそれぞれ変形して、湾曲した窓ガラスに密着する。
【００８３】
以上説明したように、本実施形態によれば、第一ワイパ部材５２Ｃ及び第二ワイパ部材５３Ｃが長手方向において分割されているので、湾曲した窓ガラスにも密着することができる。
【００８４】
［第五実施形態］
図１３、図１４を参照しながら、本実施形態に係るクリーナ１０Ｄについて説明する。図１３は、第五実施形態に係るクリーナを示す斜視図である。図１４は、第五実施形態に係るクリーナの使用状態を示す斜視図である。クリーナ１０は、基本的な構成は第一実施形態のクリーナ１０と同様である。本実施形態は、ノズルユニット５０Ｄが、第一実施形態のノズルユニット５０と異なる。
【００８５】
ノズルユニット５０は、ヘッドハウジング５１とケース２０との連結部５７Ｄが蛇腹状に形成されている。
【００８６】
連結部５７Ｄは、伸縮性及び可撓性を有する。より詳しくは、連結部５７Ｄは、伸長したり収縮したりすることが可能である。連結部５７Ｄは、所望の方向に変形させることが可能である。また、連結部５７Ｄの内部に形成される流路５１１及び流路５１２は、伸縮性及び可撓性を有する。言い換えると、連結部５７Ｄの内部に形成される流路５１１及び流路５１２は、連結部５７Ｄとともに伸縮したり変形したりする。
【００８７】
ユーザは、窓ガラスの高い位置を拭き取るとき、連結部５７Ｄを伸ばすことで作業が容易になる。ユーザは、窓ガラスの低い位置を拭き取るとき、連結部５７Ｄを所望の方向に変形させることで作業が容易になる。
【００８８】
以上説明したように、本実施形態によれば、拭き取る窓ガラスの位置に合わせて、連結部５７Ｄを伸縮させたり変形させたりすることができる。本実施形態は、拭き取り作業の効率を向上することができる。本実施形態によれば、窓ガラスに付着した液体を確実に除去することができる。
【００８９】
［第六実施形態］
図１５を参照しながら、本実施形態に係るクリーナ１０Ｅについて説明する。図１５は、第六実施形態に係るクリーナを示す断面図である。クリーナ１０Ｅは、基本的な構成は第一実施形態のクリーナ１０と同様である。本実施形態は、ノズルユニット５０Ｅが、第一実施形態のノズルユニット５０と異なる。
【００９０】
ノズルユニット５０Ｅは、第一ヘッドハウジング５１Ｅと第二ヘッドハウジング５８Ｅとを有する。
【００９１】
第一ヘッドハウジング５１Ｅは、内部に流路５１１が形成されている。第一ヘッドハウジング５１Ｅは、先端部に、第一ワイパ部材５２と第二ワイパ部材５３とが配置されている。第一ヘッドハウジング５１Ｅは、先端部の開口が吸引口５５Ｅである。第一ヘッドハウジング５１Ｅは、ケース２０との連結部５７Ｅが蛇腹状に形成されている。第一ヘッドハウジング５１Ｅは、連結部５７Ｅを伸縮したり変形したりすることによって、ケース２０に対する姿勢を調整可能である。
【００９２】
第二ヘッドハウジング５８Ｅは、内部に流路５１２が形成されている。第二ヘッドハウジング５８Ｅは、筒状に形成されている。第二ヘッドハウジング５８Ｅの先端の開口が、吹出口５６Ｅである。第二ヘッドハウジング５８Ｅは、可撓性を有する。第二ヘッドハウジング５８Ｅは、第一ヘッドハウジング５１Ｅとは独立して、ケース２０に対する姿勢を調整可能である。
【００９３】
ユーザは、拭き取る窓ガラスの位置に合わせて、吸引口５５Ｅの姿勢と吹出口５６Ｅの姿勢とをそれぞれ調節する。
【００９４】
以上説明したように、本実施形態によれば、拭き取る窓ガラスの位置に合わせて、吸引口５５Ｅの姿勢と吹出口５６Ｅの姿勢とをそれぞれ調節することができる。本実施形態は、拭き取り作業の効率を向上することができる。本実施形態によれば、窓ガラスに付着した液体を確実に除去することができる。
【００９５】
上記で説明したクリーナの外形は一例であり、これらに限定されない。図１６に示すように、クリーナ１０Ｆは、ケース２０Ｆと、ケース２０Ｆの下側に配置されたタンクユニット４０Ｆと、ケース２０Ｆの下部に配置されたノズルユニット５０Ｆとを備えていてもよい。図１６は、クリーナの変形例を示す側面図である。図１７においては、バッテリ装着部と電動工具用バッテリを省略している。
【００９６】
図１７に示すように、クリーナ１０の下部に、支持棒１１０が連結可能であってもよい。図１７は、クリーナの変形例を示す斜視図である。これにより、窓ガラスの高い位置も容易に拭き取ることができる。
【００９７】
図１８に示すように、ノズルユニット５０にスポンジ５９が配置されていてもよい。図１８は、クリーナのノズルユニットの先端部の変形例を示す側面図である。これにより、窓ガラスに残った液滴や汚れを容易に除去することができる。
【００９８】
上記では、電動工具用バッテリ１００は、ケース２０の下部に配置されたバッテリ装着部８０に装着されるものとして説明したが、これに限定されない。他の位置に配置されたバッテリ装着部８０に装着されてもよい。または、バッテリアダプダを介して電動工具用バッテリ１００を装着可能としてもよい。
【００９９】
上記では、電動工具用バッテリ１００から供給される電力によって駆動するものとして説明したが、商用電源等の交流電源から供給される電力によって駆動するものであってもよい。
【０１００】
上記では、ファン３３は、遠心ファンとして説明したがこれに限定されず、軸流ファンであってもよい。
【０１０１】
上記では、１つのモータユニット３０のモータ３１とファン３３とによって、窓ガラスに付着した液体を吸引するための吸引力の発生と、窓ガラスを乾燥するための空気の供給とを行うものとして説明したが、モータとファンとの組み合わせはこれに限定されない。例えば、吸引用のファンと吸気用のファンとを１台のモータによって動かしてもよい。または、例えば、吸引用のモータユニットと吸気用のモータユニットとを配置してもよい。
【符号の説明】
【０１０２】
１０…クリーナ、２０…ケース、３０…モータユニット、３１…モータ、３２…出力軸、３３…ファン、４０…タンクユニット、４１…タンク、５０…ノズルユニット、５１…ヘッドハウジング、５２…第一ワイパ部材（ワイパ部材）、５３…第二ワイパ部材（ワイパ部材）、５４…吹出案内部材、５５…吸引口、５６…吹出口、６１…仕切壁、６２…仕切壁、６３…仕切壁、６４…案内板、６５…飛散防止板、７１…流路、７２…空間、７３…流路、７４…流路、８０…バッテリ装着部、９０…制御回路、１００…電動工具用バッテリ。
【図１】
2019217044.tif 000003
【図２】
2019217044.tif 000004
【図３】
2019217044.tif 000005
【図４】
2019217044.tif 000006
【図５】
2019217044.tif 000007
【図６】
2019217044.tif 000008
【図７】
2019217044.tif 000009
【図８】
2019217044.tif 000010
【図９】
2019217044.tif 000011
【図１０】
2019217044.tif 000012
【図１１】
2019217044.tif 000013
【図１２】
2019217044.tif 000014
【図１３】
2019217044.tif 000015
【図１４】
2019217044.tif 000016
【図１５】
2019217044.tif 000017
【図１６】
2019217044.tif 000018
【図１７】
2019217044.tif 000019
【図１８】
2019217044.tif 000020